(57)【要約】   【課題】、マスクを顔に取り付けたときでも、耳掛け用ゴム紐の引っ張りによってマスクの端部の幅が縮むことなく、初期の幅を保ったまま使用することが可能であるとともに、耳掛け用ゴム紐が劣化した場合でも、耳掛け用の紐を容易に取り外し交換でき、かつ口当て布は別途洗浄することができて再利用することができるマスクを提供すること。  【解決手段】口部を覆う口当て布１０と、前記口当て布１０の両側に設けられてなる耳掛け用ゴム紐３０と、前記口当て布１０の両端に配置され、かつ前記耳掛け用ゴム紐３０を取着してなる支持部材２０とを備えたものとした。【選択図】図１
2007020794.tif 000002
【特許請求の範囲】
【請求項１】
口部を覆う口当て布と、この口当て布の両側に設けられてなる耳掛け用ゴム紐と、前記口当て布の両端に配置され、かつ前記耳掛け用ゴム紐を取着してなる支持部材とを備え、
該支持部材は、前記口当て布の両端を折り返して設けられた折り返し部内に設けられてなることを特徴とするマスク。
【請求項２】
支持部材は筒状に形成されてなることを特徴とする請求項１記載のマスク。
【請求項３】
支持部材は、顔の曲面に適合するようにカーブ状に形成されてなることを特徴とする請求項１又は２記載のマスク。
【請求項４】
支持部材は、前記耳掛け用ゴム紐を引っ掛けるための切り欠きを前記支持部材の両端に備えていることを特徴とする請求項１から３のいずれかに記載のマスク。
【請求項５】
前記支持部材には、口当て布と一体的に縫製可能な縫い代が設けられていることを特徴とする請求項１から４のいずれかに記載のマスク。
【発明の詳細な説明】
【技術分野】
【０００１】
本発明は、マスクを耳に掛ける際に、耳掛け用ゴム紐が引っ張られることによってもたらされる口当て布の変形を防止でき、使用によって劣化した耳掛け用ゴム紐を容易に交換することができるマスクに関する。
【背景技術】
【０００２】
鼻や口を覆うマスクは、一般的に、図８に示すように口や鼻を覆って大気中の粉塵やアレルギー物質等をろ過するための口当て布と、この口当て布を顔に取り付けるためにマスクの両側に設けられた耳掛け用紐とからなる。耳掛け用の紐としてはゴム等を含んだ伸縮性の紐材が多く用いられ、口当ての布に対して、口当て布の両側を折り返して縫製し形成した筒状部内に紐材を通して取り付けてある。
【０００３】
しかし、このタイプのマスクを使用すると、図９に示したように耳掛け用ゴム紐が両側に向かって引っ張られることになり、ゴム紐が通されている口当て布の筒状部をつぶしてしまうという問題点があった。
【０００４】
また、耳掛け用ゴム紐は、毎日の使用によってゴムの劣化を引き起こし易く、比較的短期間でゴム紐が伸びきって耳掛け用ゴムとして機能しなくなってしまうものであった。さらに、このゴム紐の劣化は使用によるものだけではなく、洗濯によっても発生していた。すなわち、マスクの口当て布は洗濯によって再利用が可能であるが、耳掛け用ゴム紐を取り付けたまま洗濯機で洗濯すると、耳掛け用ゴム紐が他の洗濯物と絡まったりして、容易に耳掛け用ゴム紐が劣化してしまうのである。
【０００５】
従って、一般的に口当て布は洗濯することによって比較的長い間使用することができるにもかかわらず、耳掛け用ゴム紐の寿命が短いため、結局マスク全体の寿命は、耳掛け用ゴムの寿命によって左右されてしまい、ライフサイクルの短いものとなっていたという問題があった。
【特許文献１】特開平９−１９２２４７号公報
【特許文献２】特開平１０−１５０９１号公報
【発明の開示】
【発明が解決しようとする課題】
【０００６】
本発明が解決しようとする課題は、マスクを顔に取り付けたときでも、耳掛け用ゴム紐の引っ張りによってマスクの端部が縮むことなく、初期の幅を保ったまま使用することが可能であるとともに、マスクが汚れた場合でも耳掛け用ゴム紐を外して口当て布を洗濯することができ、耳掛け用ゴム紐の劣化を最小限に抑えることができ、また、仮に耳掛け用ゴム紐が劣化した場合でも、耳掛け用の紐を容易に交換することができるマスクを提供することを目的とするものである。
【課題を解決するための手段】
【０００７】
以上のような課題を解決するために請求項１記載の発明が採った手段は、口部を覆う口当て布と、この口当て布の両側に設けられてなる耳掛け用ゴム紐と、前記口当て布の両端に配置され、かつ前記耳掛け用ゴム紐を取着してなる支持部材とを備え、
該支持部材は、前記口当て布の両端を折り返して設けられた折り返し部内に設けられてなることを特徴とするマスク、とするものである。
【０００８】
さらに、請求項２に記載の発明が採った手段は、支持部材は筒状に形成されてなることを特徴とする請求項１記載のマスク、とするものである。
【０００９】
また、請求項３に記載の発明が採った手段は、支持部材は、顔の曲面に適合するようにカーブ状に形成されてなることを特徴とする請求項１又は２記載のマスク、とするものである。
【００１０】
また、請求項４に記載の発明が採った手段は、支持部材は、前記耳掛け用ゴム紐を引っ掛けるための切り欠きを前記支持部材の両端に備えていることを特徴とする請求項１から３のいずれかに記載のマスク、とするものである。
また、請求項５に記載の発明が採った手段は、前記支持部材には、口当て布と一体的に縫製可能な縫い代が設けられていることを特徴とする請求項１から４のいずれかに記載のマスク、とするものである。
【発明の効果】
【００１１】
請求項１記載のマスクによれば、耳掛け用ゴム紐を引っ張った際にできるマスク端部の潰れを防止できる支持部材が取り付けられているため、マスク使用時に耳掛け用ゴム紐を引っ張ったとしても、マスクの両端の縮みを防止することができる。また、耳掛け用ゴム紐は、支持部材に交換自在に取り付けられているので、劣化した耳掛け用ゴム紐を新品のゴム紐に交換することによって再度使用可能になり、口当て布が劣化によって使用不可能となるまでマスクとして使用することができるようになる。また、ゴム紐は容易に交換可能であるので、例えば、小学生や中学生などに使用させる場合には、カラフルなゴム紐を使用することでファッショナブルなマスクとすることもできるようになる。
【００１２】
請求項２記載のマスクによれば、前記支持部材は筒状、いわばストロー状に形成されているので、軽量で丈夫な支持部材とすることができる。
【００１３】
請求項３記載のマスクによれば、支持部材をカーブ状に形成してあるので、口当て布の両端を顔の曲面に合わせてカーブ状に形成されることになり、より顔にフィットしたマスクとすることができるようになる。
【００１４】
請求項４記載のマスクによれば、前記支持部材は、支持部材の両端の切り欠きに引っ掛けるだけで、ゴム紐の取付け及び取り外しを行うことができて、容易に耳掛け用ゴム紐を交換することができる。
【００１５】
請求項５記載のマスクによれば、前記支持部材には、あらかじめ口当て布と一体的に縫製可能な縫い代が設けられているので、この支持部材を設ければ、マスクに支持部材が固定され、耳掛け用ゴム紐を交換したり、口当て布を洗濯したりする場合に、支持部材がマスクから外れることを防止することができる。
【発明を実施するための最良の形態】
【００１６】
以下、本発明を実施するための最良の形態について、実施例とともに図に沿って説明する。図１は、本発明のマスク１００の正面図である。図２は、支持部材２０と耳掛け用ゴム紐３０の斜視図である。本発明に係るマスク１００は、口や鼻を塞いでフィルターとしての役割を有する口当て布１０と、この口当て布１０の両側方に設けられている支持部材２０と、この支持部材２０に取り付けられ口当て布１０を耳に掛けるための耳掛け用ゴム紐３０とを備えている。
【００１７】
口当て布１０は、本実施例においては、織布やガーゼ等を複数枚重ね合わせて作製したものを使用している。勿論、口当て布は、フィルターとしての機能を有するものであれば、その素材は特に限定するものではなく、不織布やその他新素材等種々の使用用途に応じて、適宜選択することができる。また、重ね合わせの枚数なども自由に選択することができる。この口当て布１０の左右両側は、折り返した後に縫い合わせて形成した折り返し部１１を設けてあり、この折り返し部１１の内側に支持部材２０を取り付けてある。支持部材２０は、ストロー状の円筒棒状体に形成してあり、その両側に耳掛け用ゴム紐３０を取り付けるためのゴム紐取付部２１を設けてある。ゴム紐取付部２１は、耳掛け用ゴム紐３０を容易に取り付け、取り外しできるようにストロー状の支持部材２０の両側に内側から外側に向かって斜めの切り欠き２１に形成してある。さらに、切り欠き２１の末端には耳掛け用ゴム紐３０が勝手に外れることがないように丸孔２１ａを設けてある。従って、図３に示すように、切り欠き２１に耳掛け用ゴム紐３０を内側から外側に引っ掛け、ゴム紐を丸孔２１ａまで引っ張ることによって、支持部材２０に耳掛け用ゴム紐３０を取り付けることができる。また、逆に外側から内側へ引っ張ることによって容易に耳掛け用ゴム紐３０を支持部材２０から取り外すことができる。なお、このとき支持部材２０のゴム紐取付部２１が互いに内側を向くように折り返し部１１に取り付ければ、耳に耳掛け用ゴム紐３０を掛けたときに、耳掛け用ゴム紐３０が切り欠きから外れにくくなる。
【００１８】
支持部材２０を口当て布１０に取り付ける方法としては、単に折り返し部１１に形成された筒状部に挿入するのみでも構わないが、図４に示すように予め支持部材２０に口当て布１０と一体的に縫製可能な縫い代２２を設けておいて、図５に示すように、折り返し部１１を作製するときに、この縫い代２２を同時に縫製して支持部材２０を折り返し部１１内に縫いつけて固定するとよい。
【００１９】
また、支持部材２０は、図６に示したようにカーブを設けて形成するとよい。カーブ状に形成することによって、口当て布１０の両端をカーブ状に設けることができて、図７に示したように、マスクの両端を顔にフィットさせやすくすることができるようになる。
【００２０】
こうして作製されたマスク１００は、耳掛け用ゴム紐３０を引っ張っても、支持部材２０によって折り返し部１１が支持されているので、図９のように端の折り返し部が潰れることがない。よって、口当て布１０の形状を保持したままマスクを使用することができるようになる。
【００２１】
また、耳掛け用ゴム紐３０は、簡単に支持部材２０から取り外すことができるので、耳掛け用ゴム紐３０が劣化した場合には、この耳掛け用ゴム紐３０のみを交換することによって、再度マスクとして使用することができるようになる。また、支持部材２０から耳掛け用ゴム紐３０を外した状態で口当て布１０を洗濯することができるため、洗濯機で洗浄している際に耳掛け用ゴム紐３０が他の洗濯物に引っかかることを防止することができ、洗濯機による耳掛け用ゴム紐３０の劣化を防止することができるようになる。よって、耳掛け用ゴム紐自体の寿命も延ばすことができるようになる。
【００２２】
また、例えば、小学生や中学生等が学校で使用する場合には、耳掛け用ゴム紐をカラフルなゴムバンドやおしゃれなゴムバンドに交換して使用することも可能となる。従って、従来のマスクと比較すれば、ファッション性に優れたマスクを提供することができ、特に子供に喜ばれるマスクとすることができるようになる。
【図面の簡単な説明】
【００２３】
【図１】実施例に係るマスクの正面を表す図である。
【図２】実施例に係るマスクの支持部材及び耳掛け用ゴム紐を表す斜視図である。
【図３】実施例に係るマスクの支持部材及び耳掛け用ゴム紐を取り付ける方法を示す斜視図である。
【図４】実施例に係るマスクの支持部材に縫い代を設けたものを表す斜視図である。
【図５】実施例に係るマスクの支持部材に縫い代を設けたものを口当て布に取り付けた状態を表す断面図である。
【図６】カーブさせた支持部材を取り付けたマスクを示す斜視図である。
【図７】実施例のマスクを使用した状態を示す斜視図である。
【図８】従来のマスクを表す図である。
【図９】従来のマスクを使用した状態を表す図である。
【符号の説明】
【００２４】
１００          マスク
１０            口当て布
１１            折り返し部
２０            支持部材
２１            ゴム紐取付部
２２            縫い代
３０            耳掛け用ゴム紐
【図１】
2007020794.tif 000003
【図２】
2007020794.tif 000004
【図３】
2007020794.tif 000005
【図４】
2007020794.tif 000006
【図５】
2007020794.tif 000007
【図６】
2007020794.tif 000008
【図７】
2007020794.tif 000009
【図８】
2007020794.tif 000010
【図９】
2007020794.tif 000011